(57)【特許請求の範囲】
【請求項１】
平面視において矩形の外形を有するヨークと、
前記ヨーク上に配置され、かつ上面にてＮ極とＳ極とが一の方向に並ぶように着磁された磁石部材と、
前記磁石部材の前記上面上に間隔を空けて配置されたコイルと、
前記コイルに取り付けられた振動板と、
前記振動板を支持するフレームとを備え、
前記ヨークの前記矩形の外形を規定する辺のうち前記一の方向に沿う辺の一部に、上方向に立ち上がって前記フレームと前記ヨークとを係合させる係合凸部が設けられているとともに、
前記係合凸部は、前記フレームの孔に嵌合されて、係合凸部の両側からフレームに支持されている、スピーカユニット。
【請求項２】
前記係合凸部は、外側に向かって折れ曲がる折れ曲り部を有している、請求項１に記載のスピーカユニット。
【請求項３】
前記ヨークは前記ヨークの前記矩形の外形を規定する辺のうち前記一の方向と交差する辺に凸部を有し、前記凸部は前記一の方向と交差する辺の中央部に切り欠き部を有している、請求項１または２に記載のスピーカユニット。
【請求項４】
前記磁石部材は上面がＮ極に着磁された第１の磁性体とＳ極に着磁された第２の磁性体とを含む複数の磁性体よりなる、請求項１または２のいずれかに記載のスピーカユニット。
【請求項５】
前記磁石部材は上面にＮ極とＳ極とを有する１つの磁性体よりなる、請求項１または２のいずれかに記載のスピーカユニット。
【請求項６】
前記コイルが、角形コイル、楕円形コイル、トラック形コイルおよび多角形コイルのいずれかである、請求項１または２のいずれかに記載のスピーカユニット。
【請求項７】
請求項１または２のいずれかのスピーカユニットを備えた、携帯情報端末。
【発明の詳細な説明】
【技術分野】
【０００１】
本発明は、スピーカユニットおよび携帯情報端末に関し、特に小型化、薄型化されたスピーカユニットおよび携帯情報端末に関するものである。
【背景技術】
【０００２】
スピーカユニットは、携帯電話機、ＤＳＣ（Digital Still Camera）、ＰＤＡ（Personal Digital Assistants）、ＰＣ（Personal Computer）などの携帯情報端末に使用されている。なお、ここでスピーカユニットとは、いわゆるスピーカとレシーバーとを含んでいる。【０００３】
小型化、薄型化のため、厚み方向におけるコイルの積層数より幅方向におけるコイルの積層数が多い扁平な形状のコイル（水平型コイル）を有している電気音響変換装置（スピーカユニット）が提案されている（たとえば、特許第３２１３５２１号公報：特許文献１参照）。
【特許文献１】特許第３２１３５２１号公報
【発明の開示】
【発明が解決しようとする課題】
【０００４】
近年、携帯電話機、ＤＳＣ（Digital Still Camera）、ＰＤＡ（Personal Digital Assistants）、ＰＣ（Personal Computer）などの携帯情報端末の小型化、薄型化が急速に進んでいる。それにあわせて、携帯情報端末に使用されるスピーカユニットの搭載スペースは削減され続けている。そのため省スペースでより性能の高いスピーカユニットの使用ニーズが加速している。特に、小型化、薄型化による音圧低下の影響が大きいため、小型、薄型構造を有しつつ音圧性能が高いスピーカユニットおよび携帯情報端末への期待が高まっている。【０００５】
音圧を向上させるためには、水平型コイルを有しているスピーカユニットにおいては、コイルと対向して配置される磁性体を大きくすることが効果的である。【０００６】
また、磁性体からの磁束が装置外部に漏洩することを防止するために磁性体の底部をヨークで覆う構成も考えられる。【０００７】
しかし、ヨークを用いた場合、このヨークをフレームに取付ける必要があり、ヨークにフレームへ取付けるための取付部も設ける必要がある。かかる取付部をヨークに設けた場合、その取付部のスペース、取付部とフレームとの係合のためのスペースなどにより、磁性体の寸法の大型化が制限される。磁性体の大型化が制限されると、スピーカユニットの音圧の向上が困難となる。【０００８】
本発明は、上記課題を鑑みてなされたものであり、その目的は、小型化、薄型化を実現し、かつ音圧が高いスピーカユニットおよび携帯情報端末を提供することである。
【課題を解決するための手段】
【０００９】
本発明のスピーカユニットは、平面視において矩形の外形を有するヨークと、ヨーク上に配置され、かつ上面にてＮ極とＳ極とが一の方向に並ぶように着磁された磁石部材と、磁石部材の上面上に間隔を空けて配置されたコイルと、コイルに取り付けられた振動板と、振動板を支持するフレームとを備えている。ヨークの矩形の外形を規定する辺のうち一の方向に沿う辺の一部に、上方向に立ち上がってフレームとヨークとを係合させる係合凸部が設けられているとともに、前記係合凸部が前記フレームの孔に嵌合されて、係合凸部の両側からフレームに支持されている。
【００１０】
本発明のスピーカユニットによれば、一の方向に沿う辺に係合凸部が設けられている。
この係合凸部によって、フレームとヨークとの係合強度を向上させることができる為、一の方向に交差する辺にて、ヨーク内側とフレームとの係合部を設ける必要がない。そのため、磁石部材の一の方向の寸法がヨークとフレームとの係合によって制限されない。したがって、磁石部材の寸法を一の方向に大きくすることができる。【００１１】
磁石部材では一の方向にＮ極とＳ極とが並んでいるから磁石部材の一の方向の寸法を大きくすることでＮ極からＳ極へ向かう磁束数を増加させることができる。これにより、コイルを通過する磁束数を多くできるため音圧を向上させることができる。【００１２】
また、磁石部材と係合凸部との間で一の方向と交差する方向で磁束が形成されているため、磁気効率を向上させることができる。【００１３】
上記のスピーカユニットにおいて好ましくは、係合凸部は、外側に向かって折れ曲がる折れ曲り部を有している。【００１４】
この折れ曲り部により、ヨークをより強固にフレームに接合することができ、ヨークとフレームとの接合強度を向上させることができる。【００１５】
上記のスピーカユニットにおいて好ましくは、ヨークはヨークの矩形の外形を規定する辺のうち一の方向と交差する辺に凸部を有し、凸部は一の方向と交差する辺の中央部に切り欠き部を有している。【００１６】
これにより、切り欠き部では、ヨークを通って磁石部材の上面に磁束が導かれない。したがって、磁石部材の切り欠き部と隣り合う部分において、磁石部材の上面の磁束数を増加させることができる。これにより、コイルを通過する磁束数を多くできるため音圧を向上させることができる。【００１７】
上記のスピーカユニットにおいて好ましくは、磁石部材は上面がＮ極に着磁された第１の磁性体とＳ極に着磁された第２の磁性体とを含む複数の磁性体よりなる。【００１８】
これにより、磁石部材の上面上の高密度の磁束の水平成分によって、水平型コイルを駆動することができる。【００１９】
上記スピーカユニットにおいて好ましくは、磁石部材は上面にＮ極とＳ極とを有する１つの磁性体よりなる。【００２０】
これにより、部品数を減らすことができるため製造コストを低くすることができ、生産時間などを含めた生産性を向上させることができる。【００２１】
上記スピーカユニットにおいて好ましくは、コイルが、角形コイル、楕円形コイル、トラック形コイルおよび多角形コイルのいずれかである。【００２２】
これにより、設計の自由度を向上させることができる。【００２３】
本発明の携帯情報端末は、上記のいずれかのスピーカユニットを備えている。【００２４】
本発明の携帯情報端末によれば、上記のいずれかのスピーカユニットを備えているので、携帯情報端末の小型化、薄型化を図ることができるとともに、通話音声、着信音などの音圧を向上させることができる。
【発明の効果】
【００２５】
以上説明したように、本発明のスピーカユニットおよび携帯情報端末によれば、小型化、薄型化を実現し、かつ音圧を高くすることができる。
【発明を実施するための最良の形態】
【００２６】
以下、本発明の実施の形態について図に基づいて説明する。【００２７】
（実施の形態１）
最初に本実施の形態のスピーカユニットの構成について説明する。【００２８】
図１は、本発明の実施の形態１におけるスピーカユニットの構成を示す概略断面図である。図２は、図１に示すスピーカユニットの概略平面図である。なお、図２においては、見やすくするため振動板およびフレームカバーは図示されていない。図２のＩ−Ｉ線に沿う概略断面図が図１である。【００２９】
図１および図２を参照して、本実施の形態のスピーカユニットは、ヨーク１と、磁石部材２と、コイル３と、振動板４と、フレーム５と、フレームカバー１０と、凸部６とを主に有している。ヨーク１は、図２に示すように平面視において矩形の外形を有している。
磁石部材２は、ヨーク１上に接して配置されている。磁石部材２は、図中Ｘ方向（一の方向）に沿って上面がＳ極、Ｎ極、Ｓ極の順で並ぶように着磁されており、下面がＮ極、Ｓ極、Ｎ極の順で並ぶように着磁されている。【００３０】
磁石部材２は、たとえば複数の磁性体２１、２２を有している。たとえば、磁石部材２の中央部２１（第１の磁性体）は、上面がＮ極で下面がＳ極に着磁された磁石で構成されている。一方、磁石部材２の両端部２２（第２の磁性体）は、上面がＳ極で下面がＮ極に着磁された磁石で構成されている。磁石部材２は、磁石部材２の両端部２２の外側が凸部６の内側と接するように配置されている。【００３１】
コイル３は、磁石部材２の上面上に間隔を空けて配置されている。このコイル３はコイルの積層数が厚み方向（図１中Ｚ方向）よりも幅方向（図１、２中ＸまたはＹ方向）の方が多い扁平な形状のコイル（水平型コイル）である。コイル３は、磁石部材２によって生じる磁束がコイル３を横切るように配置されている。【００３２】
コイル３は、その外形の平面視における直線部が磁石部材２の中央部２１と両端部２２との境界上に配置されている。水平型コイルにおいては磁石部材２の上面に沿う方向の磁束がコイル３を駆動させる。磁石部材２の上面に沿う方向の磁束密度は、磁石部材２の中央部２１と両端部２２との境界上で最大となる。そのため、コイル３の直線部を磁石部材２の中央部２１と両端部２２との境界上に配置することにより最大の磁束密度でコイル３を駆動することができる。【００３３】
上記のヨーク１、磁石部材２およびコイル３により磁気回路が構成されている。磁石部材２の上面上でコイル３を通るように磁石部材２の中央部２１上面のＮ極から両端部２２上面のＳ極へ磁束Ｘ１、Ｘ２が導かれている。また、磁石部材２の両端部２２とヨーク１の凸部６との間では、磁石部材の両端部２２下面のＮ極からヨーク１の凸部６を通って同じ両端部２２上面のＳ極へ向かうように磁束Ｘ３、Ｘ４が導かれている。また、図２に示すように磁石部材２の中央部２１とヨーク１の係合凸部７との間では、磁石部材２の中央部２１上面のＮ極からヨーク１の係合凸部７を通って同じ中央部２１下面のＳ極へ向かうように磁束Ｘ５、Ｘ６が導かれている。【００３４】
振動板４は、その下面にコイル３を取り付けられている。振動板４は、上下方向（Ｚ方向）に振動可能なように薄板によって構成されている。振動板４は、たとえば、合成樹脂で形成されている。この振動板４の外周部はフレーム５に支持されている。【００３５】
図３は、本実施の形態におけるヨークの概略斜視図である。図４は、本実施の形態におけるヨークおよび磁石部材の概略斜視図である。図３および図４を参照して、ヨーク１は、磁石部材２の上面のＳ極、Ｎ極、Ｓ極の並ぶ方向に交差する方向（Ｙ方向）に沿う辺に凸部６を有している。この凸部６は、ヨーク１の辺から図中上方向（Ｚ方向）に立ち上がっている。【００３６】
また、ヨーク１は、磁石部材２の上面のＳ極、Ｎ極、Ｓ極の並ぶ方向（Ｘ方向）に沿う辺に係合凸部７を有している。この係合凸部７は、ヨーク１の辺から図中上方向（Ｚ方向）に立ち上がっている。この係合凸部７は、凸部６と同様フレーム５にヨーク１を取り付けるための取付部である。この係合凸部７は、ヨーク１の一の方向に沿う２つの辺にそれぞれ形成されている。また、係合凸部７は、ヨーク１の一の方向に沿う辺の中央部に形成されている。【００３７】
図５は、本実施の形態におけるヨークおよびフレームの概略斜視図である。図６は、図５のＶＩ−ＶＩ線に沿う概略断面図である。図５および図６を参照して、ヨーク１の係合凸部７がフレーム５の孔に嵌合されて、係合凸部７の両側からフレーム５に支持されることにより、ヨーク１はフレーム５に接合されている。【００３８】
ヨーク１とフレーム５との組付けは、たとえばインサート成形によりなされる。つまり金型内にヨーク１を装填した状態で樹脂を注入して樹脂からフレーム５を形成することで組付けが行なわれる。その結果、フレーム５は、ヨーク１の凸部６の外側および係合凸部７の周りを樹脂が取り囲むように成形されている。一方、フレーム５は、ヨーク１の凸部６の内側には成形されていない。【００３９】
振動板４を覆うようにフレームカバー１０が配置されている。フレームカバー１０は、上面に向けて台形状に形成されている。フレームカバー１０は、振動板４の外周部分上面とフレームカバー１０の外周部分下面とが対向するように振動板４を介在してフレーム５に取り付けられている。なお、振動板４を覆わないように、フレームカバー１０の無いものもある。【００４０】
以上のように本実施の形態のスピーカユニットは構成されている。【００４１】
なお、上記においては、磁石部材２の中央部２１および両端部２２として磁石が配置された磁石部材２について説明したが、磁石部材２は、中央部２１として強磁性体（第１の磁性体）が配置され、両端部２２としてその強磁性体（第１の磁性体）の両側に磁石が配置されていてもよい。その強磁性体（第１の磁性体）の両側の磁石（第２の磁性体）は、上面がＳ極で下面がＮ極に着磁された磁石で構成されていてもよい。【００４２】
なお、第１の磁性体と第２の磁性体の位置は上記の構成と逆であってもよい。すなわち、磁石部材２の中央部２１が第２の磁性体として上面がＳ極で下面がＮ極となる極性を有し、両端部２２が第１の磁性体として上面がＮ極で下面がＳ極となる極性を有していてもよい。【００４３】
また、上記においては、磁石部材２は中央部２１と両端部２２とが平面視において同じ長さである磁石部材２について説明したが、磁石部材２は、平面視において中央部２１が両端部２２より長くてもよい。これにより磁石部材２の中央部２１と係合凸部７との間の磁束密度を向上させることができる。【００４４】
また、上記においては、磁石部材２が複数の磁性体よりなる場合について説明したが、磁石部材２は、上面にＮ極とＳ極とを有する１つの磁性体であってもよい。以下、その構成を説明する。図７は、本実施の形態におけるヨークおよび１つの磁性体よりなる磁石部材の概略斜視図である。図７を参照して、磁石部材２は、多極着磁された単一の磁性体からなっている。上記の磁石部材２が複数の磁性体２１、２２を有している場合と同様に磁石部材２は、中央部２１と両端部２２とを有し、中央部２１と両端部２２とは逆向きの極性を有している。たとえば、中央部２１は上面がＮ極で下面がＳ極となる極性を有し、両端部２２は上面がＳ極で下面がＮ極となる極性を有している。磁石部材２として多極着磁された単一の磁性体が用いられることにより、複数の磁性体が用いられる場合に比べて、部品数を減らすことができるため製造コストを低くすることができ、生産時間などを含めた生産性を向上させることができる。【００４５】
上記では、コイル３の形状について、平面視においてトラック形の場合を説明したが、コイル３は、角形コイル、楕円形コイル、トラック形コイルおよび多角形コイルのいずれでもよい。これにより、設計の自由度を向上させることができる。図８（Ａ）〜（Ｄ）は、コイルの形状を示す概略平面図である。図８（Ａ）は、平面視において矩形であって長径側と短径側とが角形状に連結されている角形コイルを示している。図８（Ｂ）は、平面視において長軸と短軸を有する楕円形状に形成されている楕円形コイルを示している。図８（Ｃ）は、平面視において直線部を有するトラック形状に形成されているトラック形コイルを示している。図８（Ｄ）は、平面視において複数の直線部からなる多角形状に形成されている多角形コイルを示している。【００４６】
次に、本実施の形態のスピーカユニットの動作について説明する。【００４７】
上記の構成により、磁石部材２から発生する磁束がコイル３の配置されている空隙に収束されて磁界が発生する。そして、コイル３に電流が流れると、コイル３を流れる電流と磁石部材２から発生する磁界とによってフレミングの左手の法則に基づいて、コイル３が上下に振動する。したがって、コイル３に取り付けられた振動板４が振動する。これにより、電気信号（電流）が音響（振動）に変換される。【００４８】
次に、本実施の形態のスピーカユニットの作用効果について他のスピーカユニットと比較して説明する。【００４９】
上述したように、磁石部材２から出る磁束がスピーカユニットの外部へ漏洩することを防止するためには、磁石部材２の下面全体を覆うヨーク１を設ける必要がある。ヨーク１は、たとえば透磁性の高い金属で形成されているため、曲げ加工などにより複雑な形状に加工することは困難である。そのため、ヨーク１とフレーム５とを別に設けて、フレーム５はたとえば樹脂で形成することによりフレーム５を複雑な形状に成形することできる。また、樹脂で形成されることによりフレーム５を軽量化することができる。このようにフレーム５とは別にヨーク１を設けた場合、ヨーク１をフレーム５に固定する必要がある。
このため、ヨーク１にフレーム５への取付部を設ける必要がある。【００５０】
ここで、図１および図２に示すように、磁石部材２の上面にＮ極とＳ極とをＸ方向に並べる場合、通常、磁石部材２はＹ方向の長さがＸ方向の長さより長くなるように設計される。なぜなら、磁石部材２のＹ方向の長さを長くすることで磁石部材２の上面のＮ極からＳ極へ向かう磁束Ｘ１、Ｘ２の数を増やすことができるからである。【００５１】
このため、ヨーク１とフレーム５との接合強度を大きく確保したい場合には、ヨーク１の長辺側（Ｙ方向に沿う辺側）の全体に、フレーム５との取付部を設けることが考えられる。つまり、長辺側に取付部を設けることで接合部を大きく確保することが可能となるので接合強度も大きくすることができる。【００５２】
図９および図１０は、ヨークの長辺側（Ｙ方向に沿う辺側）の全体に、フレームとの取付部となる凸部を設けた構成を示す概略断面図および概略平面図である。なお、図１０においては、見やすくするため振動板およびフレームカバーは図示されていない。図１０のＸＩ−ＸＩ線に沿う概略断面図が図９である。また図１１は、図９および図１０に示す構成のヨークの短辺側（Ｘ方向に沿う辺側）の中央部に沿う線の概略断面図である。【００５３】
図９および図１０を参照して、このスピーカユニットでは、ヨーク１のＹ方向に沿う辺にフレーム５とヨーク１とを係合させる凸部６が形成されている。このヨーク１は、凸部６の両側（内側および外側）がフレーム５にはさみ込まれることにより支持されている。
これにより、凸部６と磁石部材２との間にはフレーム５の一部を差し込むためのスペース（隙間Ｇ１、Ｇ２）が必要になる。このスペースを設ける必要から、磁石部材２のＸ方向の大きさＬは、制約を受け、小さくなる。【００５４】
ここで、磁石部材２のＸ方向の寸法が小さくなると、磁石部材２の上面のＮ極からＳ極へ向かう磁束Ｘ１、Ｘ２（図１０）の数が少なくなる。これにより、コイル３を横切る磁束数が少なくなるので音圧が低下する。【００５５】
なお、図１１を参照して、このスピーカユニットでは、ヨーク１の短辺側（Ｘ方向に沿う辺側）では取付部が形成されていないので、フレーム５はヨーク１の短辺側では支持されていない。【００５６】
一方、本実施の形態におけるスピーカユニットによれば、一の方向（Ｘ方向）に沿う辺に係合凸部７が設けられている。この係合凸部７によって、フレーム５とヨーク１との接合強度を向上させている。それにより、ヨーク１の凸部６の外側とフレーム５との結合と合わせて充分な接合強度を確保でき、隙間Ｇ１、Ｇ２の削除が可能となっている。そのため、磁石部材２の一の方向（Ｘ方向）の寸法がヨーク１とフレーム５との係合によって制限されない。したがって、磁石部材２の一の方向（Ｘ方向）への寸法をヨーク１の長辺側内径まで大きくすることができる。【００５７】
磁石部材２では一の方向（Ｘ方向）にＮ極とＳ極とが並んでいるから磁石部材２の一の方向の寸法を大きくすることでＮ極からＳ極へ向かう磁束数を増加させることができる。
これにより、コイルを通過する磁束数を多くできるため音圧を向上させることができる。      【００５８】
また、磁石部材２の中央部２１とヨーク１の係合凸部７との間で磁束Ｘ５、Ｘ６が形成されているため、磁気効率を向上させることができる。これにより音圧を向上させることができる。【００５９】
（実施の形態２）
最初に本実施の形態におけるスピーカユニットの構成について説明する。【００６０】
図１２は、本発明の実施の形態２におけるスピーカユニットに用いられるヨークの概略斜視図である。図１２を参照して、本実施の形態のスピーカユニットは、実施の形態１と比較して、ヨーク１の係合凸部７が外側に向かって折れ曲がる折れ曲り部８を有している点において主に異なっている。【００６１】
図１３は、本実施の形態におけるヨークおよび磁石部材の概略斜視図である。図１３を参照して、上面がＮ極に着磁された第１の磁性体とＳ極に着磁された第２の磁性体とを含む複数の磁性体よりなる磁石部材２がヨーク１の上に配置されている。【００６２】
図１４は、実施の形態におけるヨークおよびフレームの概略斜視図である。図１５は、図１４のＸＶ−ＸＶ線に沿う概略断面図である。図１４および図１５を参照して、係合凸部７の折れ曲り部８の上面がフレーム５の一の段差の上面と略同一面上に配置されている。フレーム５の一の段差の上面において、係合凸部７が外側に向かって折れ曲がる折れ曲り部８を有しているため折れ曲り部８の上面の分、係合凸部７と嵌合する孔が実施の形態１と比較して広く開口している。【００６３】
図１６は、本実施の形態におけるヨークおよび１つの磁性体よりなる磁石部材の概略斜視図である。図１６を参照して、上面にＮ極とＳ極とを有する１つの磁性体よりなる磁石部材２がヨーク１の上に配置されていてもよい。【００６４】
なお、本実施の形態のこれ以外の構成は、上記した実施の形態１の構成と同様であるため同一の要素については同一の符号を付し、その説明を省略する。【００６５】
次に本実施の形態におけるスピーカユニットの作用効果について説明する。【００６６】
本実施の形態におけるスピーカユニットによれば、上記の構成を有しているので実施の形態１と同様の作用効果を有している。【００６７】
また、本実施の形態におけるスピーカユニットによれば、係合凸部７が外側に向かって折れ曲がる折れ曲り部８を有している。折れ曲り部８は、フレーム５にインサート成形される。その結果、ヨーク１はＹ方向でさらに強く保持される。またＺ方向でも保持される。これにより、ヨーク１をより強固にフレーム５に接合することができ、ヨーク１とフレーム５との接合強度を向上させることができる。【００６８】
（実施の形態３）
最初に本実施の形態におけるスピーカユニットの構成について説明する。【００６９】
図１７は、本発明の実施の形態３におけるスピーカユニットの構成を示す概略断面図である。図１８は、図１７に示すスピーカユニットの概略平面図である。なお、図１８においては、見やすくするため振動板およびフレームカバーは図示されていない。図１８のＸＶＩＩ−ＸＶＩＩ線に沿う概略断面図が図１７である。【００７０】
図１７および図１８を参照して、本実施の形態のスピーカユニットは、実施の形態２と比較して、ヨーク１の凸部６が中央部に切り欠き部９を有している点において主に異なっている。磁石部材２の両端部２２は、切り欠き部９と隣接する箇所では凸部６と接していない。【００７１】
図１９は、本実施の形態におけるヨークの概略斜視図である。図１９を参照して、ヨーク１は、ヨーク１の矩形の外形を規定する辺のうち一の方向（Ｘ方向）と交差する辺に凸部６を有している。凸部６は、その中央部に切り欠き部９を有している。この凸部６の中央部は、凸部６の長手方向の中間部分である。【００７２】
図２０は、本実施の形態におけるヨークおよび磁性体の概略斜視図である。図２０を参照して、磁石部材２の四隅の外側は、ヨーク１の凸部６の内側と接するように配置されている。【００７３】
図２１は、実施の形態におけるヨークおよびフレームの概略斜視図である。図２１のＸＶ−ＸＶ線に沿う概略断面図が図１５である。図２１を参照して、フレーム５は、切り欠き部９において一の方向と交差する方向（Ｙ方向）で凸部６と嵌合するように形成されている。また、フレーム５の内側およびヨーク１の凸部６の内側は、略同一面上に形成されている。【００７４】
図２２は、本実施の形態におけるヨークおよび１つの磁性体よりなる磁石部材の概略斜視図である。図２２を参照して、磁石部材２は、上面にＮ極とＳ極とを有する１つの磁性体よりなっていてもよい。【００７５】
なお、本実施の形態のこれ以外の構成は、上記した実施の形態２と同様であるため同一の要素については同一の符号を付し、その説明を省略する。【００７６】
なお、実施の形態１と同様に係合凸部７が折り曲がり部８を有さない形状であってもよい。【００７７】
また、磁石部材２の幅は、切り欠き部９の上に配置される大きさに形成されていてもよい。これにより、磁石部材２の寸法を一の方向により大きくすることができるので音圧を高くすることができる。【００７８】
次に本実施の形態におけるスピーカユニットの作用効果について説明する。【００７９】
本実施の形態におけるスピーカユニットによれば、上記の構成を有しているので実施の形態１と同様の作用効果を有している。【００８０】
また、本実施の形態におけるスピーカユニットによれば、係合凸部７が外側に向かって折れ曲がる折れ曲り部８を有しているため、実施の形態２と同様の作用効果を有している。【００８１】
続いて、本実施の形態のスピーカユニットの作用効果について他のスピーカユニットと比較して説明する。図９および図１０を参照して、ヨーク１の凸部６に切り欠き部９がない場合には、図９に示すように、磁石部材２の両端部２２の下面からヨーク１および凸部６によって磁束Ｘ３、Ｘ４が、磁石部材２の上面に導かれる。【００８２】
本実施の形態のスピーカユニットでは、ヨーク１の凸部６の中央部に切り欠き部９を設けた。これにより、切り欠き部９では、磁石部材２の両端部２２の下面からヨーク１および凸部６を通って磁石部材２の上面に磁束Ｘ３、Ｘ４が導かれない。これにより、磁石部材２の切り欠き部９と隣り合う部分において、磁石部材２の上面の磁束数を増加させることができる。これにより、コイルを通過する磁束数を多くできるため音圧を向上させることができる。【００８３】
また、ヨーク１の凸部６に切り欠き部９がない場合には、図９に示すように、磁石部材２の両端部２２の下面からヨーク１および凸部６によって導かれた磁束Ｘ３、Ｘ４が、磁石部材２の上面上のＮ極からＳ極に導かれた磁束Ｘ１、Ｘ２と打ち消しあう。このように磁束Ｘ１とＸ３とが打ち消しあい、また磁束Ｘ２とＸ４とが打ち消しあうことで磁束に損失が発生し、その結果、磁石部材２の上面に沿う方向の磁束の磁気効率が低下する。【００８４】
本実施の形態のスピーカユニットでは、ヨーク１の凸部６の中央部に切り欠き部９を設けた。これにより、磁石部材２の上面上のＮ極からＳ極の境界付近の磁束と磁石部材２とヨーク１とによって導かれた磁束が磁石部材２の上面上で打ち消しあうことを抑制することができ、磁石部材２の上面に沿う方向の磁束の磁気効率を向上することができる。これにより、音圧を向上させることができる。【００８５】
なお、水平型コイルにおいては、磁石部材２の両端部２２とヨーク１の凸部６との間の磁束Ｘ３、Ｘ４は、コイル３の駆動に有効に作用しない。そのため、磁石部材２の両端部２２の外側においては、ヨーク１の凸部６が形成されていない方がよい。【００８６】
また、切り欠き部９は、コイル３の外形の平面視における直線部に対応する長さとされ得る。水平型コイルは、主にコイル３の外形の平面視における直線部と磁石部材２の上面上のＮ極およびＳ極の境界付近との磁束によって駆動される。そのため、切り欠き部９の長さをコイル３の外形の平面視における直線部に対応する長さとすることにより、磁気効率を向上することができる。これにより、音圧を向上させることができる。【００８７】
この場合は、凸部６がフレーム５にインサート成形されることにより、ヨーク１とフレーム５とが組み付けられる。よって、凸部６が形成されていることにより、ヨーク１とフレーム５との接合強度を向上させることができる。【００８８】
なお、コイル３として、上記の角形コイルが使用される場合には、この角形コイルの平面視における直線部に対応する長さが、凸部６の切り欠き部９の長さとされ得る。また、コイル３として、上記のトラック形コイルが使用される場合には、このトラック形コイルの平面視における直線部に対応する長さが、凸部６の切り欠き部９の長さとされ得る。【００８９】
なお、コイル３の外形の平面視におけるラウンド部とヨーク１の凸部６との間の磁束は、コイル３の駆動に有効に作用しない。そのため、ヨーク１の凸部６は、コイル３の外形の平面視におけるラウンド部近辺に形成されることにより、磁気効率の低下を防ぐことができる。【００９０】
（実施の形態４）
最初に本実施の形態における携帯情報端末の構成について説明する。【００９１】
図２３および図２４は、本発明の実施の形態４における携帯情報端末の概略斜視図である。図２３および図２４を参照して、本実施の形態における携帯情報端末は、携帯電話機であって、上部筐体１０１、表示部１０２、放音孔１０３、ヒンジ部１０４、下部筐体１０５、操作ボタン１０６、数字ボタン１０７、表示部１１１、放音孔１１２と、図示しない実施の形態１〜３のいずれかのスピーカユニットを主に備えている。【００９２】
図２３を参照して、上部筐体１０１の表面には表示部１０２が設けられている。上部筐体１０１の表面の一方端部側には放音孔１０３が形成されている。上部筐体１０１の他方端部側にはヒンジ部１０４が形成されている。下部筐体１０５の一方端部側にはヒンジ部１０４が形成されている。ヒンジ部１０４によって上部筐体１０１と下部筐体１０５とは開閉可能に連結されている。下部筐体１０５の表面のヒンジ部１０４側には操作ボタン１０６が形成されている。操作ボタン１０６からヒンジ部１０４と反対側に向かって数字ボタン１０７が形成されている。【００９３】
図２４を参照して、上部筐体１０１の裏面には表示部１１１が設けられている。表示部１１１の横に放音孔１１２が形成されている。【００９４】
図示しない実施の形態１〜３のいずれかのスピーカユニットは、上部筐体１０１の内側に設けられている。そのスピーカユニットより主に放音孔１０３および１１２を通じて携帯情報端末の外に音が発せられる。【００９５】
次に本実施の形態における携帯情報端末の作用効果について説明する。【００９６】
本実施の形態における携帯情報端末によれば、上記の実施の形態１〜３のいずれかのスピーカユニットを備えているので、携帯情報端末の小型化、薄型化を図ることができるとともに、通話音声、着信音などの音圧を向上させることができる。【００９７】
つまり、本実施の形態における携帯情報端末によれば、小型化、薄型化を進めてより小さい携帯情報端末にすることができる。また、省スペースなスピーカユニットを備えることにより設計自由度を向上することができる。また、音圧を大きくすることにより通話音や着信音などが明確に認識され得る。【００９８】
なお、上記の各実施の形態では、携帯情報端末として携帯電話機について説明したが、これに限定されず、ＤＳＣ、ＰＤＡまたはＰＣなどであってもよい。【００９９】
なお、本発明のスピーカユニットは、上記の各実施の形態の各構成が適時組み合わせられた構成であっても良い。【０１００】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【０１０１】
本発明は、小型化、薄型化されたスピーカユニットおよび携帯情報端末に特に有利に適用され得る。
【図面の簡単な説明】
【０１０２】
【図１】実施の形態１におけるスピーカユニットの概略断面図である。
【図２】実施の形態１におけるスピーカユニットの概略平面図である。
【図３】実施の形態１におけるスピーカユニットのヨークの概略斜視図である。
【図４】実施の形態１におけるスピーカユニットのヨークおよび磁石部材の概略斜視図である。
【図５】実施の形態１におけるスピーカユニットのヨークおよびフレームの概略斜視図である。
【図６】実施の形態１におけるスピーカユニットのヨークおよびフレームの概略断面図である。
【図７】実施の形態１におけるスピーカユニットのヨークおよび磁石部材の概略斜視図である。
【図８】実施の形態１におけるスピーカユニットのコイルの概略平面図である。
【図９】比較のための他のスピーカユニットの概略断面図である。
【図１０】比較のための他のスピーカユニットの概略平面図である。
【図１１】比較のための他のスピーカユニットのヨークおよびフレームの概略断面図である。
【図１２】実施の形態２におけるスピーカユニットのヨークの概略斜視図である。
【図１３】実施の形態２におけるスピーカユニットのヨークおよび磁石部材の概略斜視図である。
【図１４】実施の形態２におけるスピーカユニットのヨークおよびフレームの概略斜視図である。
【図１５】実施の形態２におけるスピーカユニットのヨークおよびフレームの概略断面図である。
【図１６】実施の形態２におけるスピーカユニットのヨークおよび磁石部材の概略斜視図である。
【図１７】実施の形態３におけるスピーカユニットの概略断面図である。
【図１８】実施の形態３におけるスピーカユニットの概略平面図である。
【図１９】実施の形態３におけるスピーカユニットのヨークの概略斜視図である。
【図２０】実施の形態３におけるスピーカユニットのヨークおよび磁石部材の概略斜視図である。
【図２１】実施の形態３におけるスピーカユニットのヨークおよびフレームの概略斜視図である。
【図２２】実施の形態３におけるスピーカユニットのヨークおよび磁石部材の概略斜視図である。
【図２３】実施の形態４における携帯情報端末の概略斜視図である。
【図２４】実施の形態４における携帯情報端末の概略斜視図である。
【符号の説明】
【０１０３】
１  ヨーク、２  磁石部材、３  コイル、４  振動板、５  フレーム、６  凸部、７  係合凸部、８  折れ曲り部、９  切り欠き部、１０  フレームカバー、２１  中央部、２２  両端部、１０１  上部筐体、１０２  表示部、１０３，１１２  放音孔、１０４  ヒンジ部、１０５  下部筐体、１０６  操作ボタン、１０７  数字ボタン、１１１  表示部
。
【図１】
0005494494.tif 000002
【図２】
0005494494.tif 000003
【図３】
0005494494.tif 000004
【図４】
0005494494.tif 000005
【図５】
0005494494.tif 000006
【図６】
0005494494.tif 000007
【図７】
0005494494.tif 000008
【図８】
0005494494.tif 000009
【図９】
0005494494.tif 000010
【図１０】
0005494494.tif 000011
【図１１】
0005494494.tif 000012
【図１２】
0005494494.tif 000013
【図１３】
0005494494.tif 000014
【図１４】
0005494494.tif 000015
【図１５】
0005494494.tif 000016
【図１６】
0005494494.tif 000017
【図１７】
0005494494.tif 000018
【図１８】
0005494494.tif 000019
【図１９】
0005494494.tif 000020
【図２０】
0005494494.tif 000021
【図２１】
0005494494.tif 000022
【図２２】
0005494494.tif 000023
【図２３】
0005494494.tif 000024
【図２４】
0005494494.tif 000025